(57)【特許請求の範囲】
【請求項１】
上部の開口部に開閉自在な蓋体を備えた本体ケースと、上記開口部に上部を開口させた状態で上記本体ケース中に配した生ゴミ処理槽と、該生ゴミ処理槽中に配した攪拌手段とを備え、更に前記生ゴミ処理槽の上部の一側に一端が開口し、他端が前記本体ケースの下部に開口する排気筒を設け、かつその排気筒のいずれかの部位に排気手段を、他のいずれかの部位に臭気吸着部を、それぞれ配設し、他方、前記生ゴミ処理槽の上部の他側に該生ゴミ処理槽と本体ケースとの隙間空間中に開口する吸気口を設け、加えて前記生ゴミ処理槽の下部に加温手段を配した消滅型生ゴミ処理機に於いて、
前記生ゴミ処理槽の上方に、前記本体ケースの内周側に沿って水分受け部を構成し、かつ該水分受け部に、これに流下した水分を本体ケース外に排出する排水管を接続した消滅型生ゴミ処理機。
【請求項２】
上部の開口部に開閉自在な蓋体を備えた本体ケースと、上記開口部に上部を開口させた状態で上記本体ケース中に配した生ゴミ処理槽と、該生ゴミ処理槽中に配した攪拌手段とを備え、更に前記生ゴミ処理槽の上部の一側に一端が開口し、他端が前記本体ケースの下部に開口する排気筒を設け、かつその排気筒のいずれかの部位に排気手段を、他のいずれかの部位に臭気吸着部を、それぞれ配設し、他方、前記生ゴミ処理槽の上部の他側に該生ゴミ処理槽と本体ケースとの隙間空間中に開口する吸気口を設け、加えて前記生ゴミ処理槽の下部に加温手段を配し、更に加えて前記生ゴミ処理槽の上部に開口する前記排気筒の開口部である排気口と前記吸気口とを、それぞれ横長に開口させ、かつ相互に対向した位置関係に配置した消滅型生ゴミ処理機に於いて、
前記生ゴミ処理槽の上方に、前記本体ケースの内周側に沿って水分受け部を構成し、かつ該水分受け部に、これに流下した水分を本体ケース外に排出する排水管を接続した消滅型生ゴミ処理機。
【請求項３】
上部の開口部に開閉自在な蓋体を備えた本体ケースと、上記開口部に上部を開口させた状態で上記本体ケース中に配した生ゴミ処理槽と、該生ゴミ処理槽中に配した攪拌手段とを備え、更に前記生ゴミ処理槽の上部の一側に一端が開口し、他端が前記本体ケースの下部に開口する排気筒を設け、かつその排気筒のいずれかの部位に排気手段を、他のいずれかの部位に臭気吸着部を、それぞれ配設し、他方、前記生ゴミ処理槽の上部の他側に該生ゴミ処理槽と本体ケースとの隙間空間中に開口する吸気口を設け、加えて前記生ゴミ処理槽の下部に加温手段を配し、更に加えて前記吸気口にフィルタを配した消滅型生ゴミ処理機に於いて、
前記生ゴミ処理槽の上方に、前記本体ケースの内周側に沿って水分受け部を構成し、かつ該水分受け部に、これに流下した水分を本体ケース外に排出する排水管を接続し消滅型生ゴミ処理機。
【請求項４】
上部の開口部に開閉自在な蓋体を備えた本体ケースと、上記開口部に上部を開口させた状態で上記本体ケース中に配した生ゴミ処理槽と、該生ゴミ処理槽中に配した攪拌手段とを備え、更に前記生ゴミ処理槽の上部の一側に一端が開口し、他端が前記本体ケースの下部に開口する排気筒を設け、かつその排気筒のいずれかの部位に排気手段を、他のいずれかの部位に臭気吸着部を、それぞれ配設し、他方、前記生ゴミ処理槽の上部の他側に該生ゴミ処理槽と本体ケースとの隙間空間中に開口する吸気口を設け、加えて前記生ゴミ処理槽の下部に加温手段を配し、更に加えて前記臭気吸着部を臭気吸着材の出し入れが自在であるように構成した消滅型生ゴミ処理機に於いて、
前記生ゴミ処理槽の上方に、前記本体ケースの内周側に沿って水分受け部を構成し、かつ該水分受け部に、これに流下した水分を本体ケース外に排出する排水管を接続した消滅型生ゴミ処理機。
【発明の詳細な説明】
【０００１】
【発明の属する技術分野】
本発明は、投入した生ゴミを微生物の働きにより水と二酸化炭素とに分解して消滅させる消滅型生ゴミ処理機に関するものである。
【０００２】
【従来の技術】
従来の消滅型生ゴミ処理機には種々のタイプのものがある。
その１は、本体ケースに生ゴミ処理槽を配し、かつ該生ゴミ処理槽に攪拌手段を備えたものである。上記攪拌手段は手動又は電動により攪拌羽根を回転して生ゴミ処理槽中の生ゴミ等を攪拌する手段である。
【０００３】
しかして、この消滅型生ゴミ処理機は、多孔質の木質チップに微生物を混入させて構成した基材を、予め、その生ゴミ処理槽に投入しておいて使用するものである。
その後は、基材を投入した生ゴミ処理槽に生ゴミを投入し、通常、その都度攪拌手段で該生ゴミと基材とを良く混合し、かつそれらの中に空気を導入する。そして基材中の微生物の働きにより、前記のように、生ゴミを水と二酸化酸素とに分解して消滅させようとするものである。
【０００４】
この消滅型生ゴミ処理機は、前記のように、簡単な構造であり、安価であり、良好に動作すれば、以上のように動作する筈のものである。しかし吸排気機構がないので、空気の導入も不完全であり、生ゴミの分解速度が速いとは云えない。また生ゴミの投入に随伴した水分及び生ゴミの分解過程で生じた水分が生ゴミ処理槽の底部に溜り易く、そのため生ゴミの腐敗が生じ、これにともなってしばしば悪臭を発生することとなる問題がある。更に、前記のように、吸排気機構がないので、生ゴミの投入時に本体ケースの蓋を開けると、その悪臭が直ちにその開口部から立ち上り、投入者に吸引させることとなるという問題もある。
【０００５】
従来の消滅型生ゴミ処理機のその２は、本体ケース中に、下部に通気用開口部を開けた上部解放の内ケースを配し、該内ケース中に多数の小孔をあけた生ゴミ処理槽を装入配設し、かつ該生ゴミ処理槽中に攪拌手段を構成し、更に前記本体ケースと内ケースとの間に、通気用開口部を通じて下方から前記生ゴミ処理槽に温風を送り込む温風送風手段を配して構成したものである。本体ケースの下部には、更に吸気口が開口してあり、かつ上側部には対応する排気口が開口してあるものである。
【０００６】
しかして、この従来例のその２の消滅型生ゴミ処理機の場合も、前記その１の場合と同様に、予め基材を投入してある生ゴミ処理槽に生ゴミを投入し、通常、その都度攪拌手段で生ゴミ等の攪拌混合を行なうものであるが、加えてこの従来例では、生ゴミ処理槽に開けた多数の小孔から過剰の水分及び分解過程で生じた水分を流下させることにより、内部の水分条件を改善し、更に前記温風送風手段により下方から生ゴミ処理槽中に温風を吹き込むことにより、微生物の増殖活動を活発にし、これによって生ゴミの分解を促進しようとするものである。
【０００７】
この従来例のその２の消滅型生ゴミ処理機は、前記従来例のその１に比べ、生ゴミの水及び二酸化炭素への分解が良好に行なわれるようになり、腐敗臭の発生も軽減できるものであるが、排気が本体ケースの上側部で行なわれるものであるため、生ゴミ特有の異臭が周囲にそのまま拡散される問題がある。
【０００８】
また従来例の消滅型生ゴミ処理機のその３は、本体ケース中に、下部に多数の小孔をあけた生ゴミ処理槽を配設し、その中に攪拌手段を設け、かつその上部に上方から空気を吹き込むエアーポンプを配し、更に該生ゴミ処理槽の下部には、その下部の小孔から流下する水分及び吹き出される排気を集める漏斗状部を備えた案内筒を構成し、該案内筒の下端を本体ケース内底部に配した脱臭槽の脱臭液中に開口させ、加えて、本体ケースの下部に、脱臭されて脱臭液面から放出された排気を排出する排気管を配設して構成したものである。
【０００９】
しかして、この従来例のその３の消滅型生ゴミ処理機の場合も、前記その１の場合と同様に、予め基材を投入してある生ゴミ処理槽に生ゴミを投入し、通常、その都度攪拌手段で生ゴミ等の攪拌混合を行なうものであるが、加えて、この従来例では、生ゴミ処理槽に開けた多数の小孔から過剰の水分及び分解過程で生じた水分を流下させることにより、内部の水分条件を改善し、更に前記エアーポンプにより上方から生ゴミ処理槽中に空気を吹き込むことにより、微生物の増殖活動を活発にし、これによって生ゴミの分解を促進しようとするものである。また前記エアーポンプで上方から吹き込まれる空気及び分解過程で生じた二酸化炭素等の気体成分は生ゴミ等の間を通じてその下方に移動し、更に案内筒を通って脱臭槽の脱臭液中に導かれ、その液中で生ゴミ臭等の異臭が除去され、液面より本体ケースの下部に放出されることとなる。更にこうして放出された気体成分は前記排気管を通じて本体ケース外に排出されることとなる。また生ゴミ中の過剰水分及び分解過程で生じた水分も同様に脱臭液中に流下し、該液中で異臭の除去が行なわれる。
【００１０】
この従来例のその３の消滅型生ゴミ処理機は、前記従来例のその１に比べて、生ゴミの水及び二酸化炭素への分解が良好に行なわれるようになり、腐敗臭の発生も軽減できるものであり、更には、気体成分は脱臭液を通じて異臭が除去されて本体ケースの下部から排気されるものであるため、従来例のその２とも異なり、その周囲に異臭を拡散させない利点を有するものである。
【００１１】
しかしながら、この従来例のその３の消滅型生ゴミ処理機は、上記のように脱臭機能は高いが脱臭液の交換等のメンテナンスが煩雑であって、適切な交換頻度を守らないと脱臭効果が損なわれるという問題があるばかりでなく、高価となるという問題もある。
【００１２】
【発明が解決しようとする課題】
本発明は、しかして、以上の従来技術の問題点を解決し、容易に生ゴミの腐敗等が発生せず、優れた生ゴミの分解作用を発揮し得るとともに、分解作用で発生した二酸化炭素や水蒸気その他の気体成分から異臭成分を除去して排気し、更に蓋を開けた際等に本体ケースの内面を伝って流下する結露水や蓋体との間から侵入することのある雨水等を生ゴミ処理槽中に流下させず、これに起因する生ゴミ処理槽中の過剰水分による生ゴミの腐敗を発生させない消滅型生ゴミ処理機を提供することを解決の課題とするものである。
【００１３】
【課題を解決するための手段】
しかして本発明の１は、上部の開口部に開閉自在な蓋体を備えた本体ケースと、上記開口部に上部を開口させた状態で上記本体ケース中に配した生ゴミ処理槽と、該生ゴミ処理槽中に配した攪拌手段とを備え、更に前記生ゴミ処理槽の上部の一側に一端が開口し、他端が前記本体ケースの下部に開口する排気筒を設け、かつその排気筒のいずれかの部位に排気手段を、他のいずれかの部位に臭気吸着部を、それぞれ配設し、他方、前記生ゴミ処理槽の上部の他側に該生ゴミ処理槽と本体ケースとの隙間空間中に開口する吸気口を設け、加えて前記生ゴミ処理槽の下部に加温手段を配した消滅型生ゴミ処理機に於いて、
前記生ゴミ処理槽の上方に、前記本体ケースの内周側に沿って水分受け部を構成し、かつ該水分受け部に、これに流下した水分を本体ケース外に排出する排水管を接続した消滅型生ゴミ処理機である。
【００１４】
したがって本発明の消滅型生ゴミ処理機によれば、その生ゴミ処理槽に投入した生ゴミに容易に腐敗等を発生させず、良好に水と二酸化炭素とに分解させ、更に分解生成したそれらの二酸化炭素や水蒸気及びその他の気体成分を、それらから良好に異臭成分を除去した上で排気することができ、周囲に異臭をまき散らすような問題が生じない。
【００１５】
詳しくは次の通りである。
前記生ゴミ処理槽には予め多孔質の木質チップに微生物を混入させて構成した基材を投入しておくものとする。その上で、前記加温手段を動作させ、これによって生ゴミ処理槽内を適温、例えば、４５〜６０℃に昇温して保持させ、かつ前記排気手段を動作させ、生ゴミ処理槽中の気体を前記排気筒を通じて本体ケースの下部から排出させる。排気筒を通過する気体は、その中に含まれる異臭成分が前記臭気吸着部で吸着される。また排気手段の動作にともなって生ゴミ処理槽内が陰圧となり、その中に、前記吸気口を通じて、該生ゴミ処理槽と本体ケースとの隙間空間中の空気が吸引導入される。なおこの隙間空間中の空気は前記加温手段で加温されて適温となっているため、低温の空気の導入によって微生物の活動に悪影響を与えるような問題は生じない。
【００１６】
生ゴミは、以上のように準備しかつ動作させた状態で、例えば、発生の都度、生ゴミ処理機に投入することができる。
前記蓋体を開けると、攪拌手段は少なくともその間は動作を停止して安全を確保し、再度蓋体を閉じると、例えば、所定の制御手段により、適当な時間間隔で該攪拌手段が攪拌動作し、前記基材及び投入した生ゴミを攪拌混合し、かつそれらの間に空気の導入を行なう。こうして加温手段で適温に保持された生ゴミ処理槽中で微生物の活動が活発に行なわれ、投入された生ゴミは水と二酸化炭素とに分解され、水は水蒸気となって蒸発し、生ゴミは徐々に消滅することとなる。
【００１７】
蒸発した水分や二酸化炭素は、前記のように、排気手段の作用で、排気筒を通じて本体ケースの下部から排出されることとなる。このとき、それらに含まれる種々の臭い成分は前記臭気吸着部で吸着除去されることとなる。それ故、本体ケース下部から排出される気体には臭いが殆ど含まれず、周囲に臭いをまき散らす問題が生じない。
前記排気手段は、例えば、前記攪拌手段と連動して動作するように構成することができるが、その外、少なくとも、蓋体を開けている間は必ず動作するように構成しておけば、その作用により生ゴミ処理槽内の気体成分は下方に吸引されることになるので、前記のように、蓋体を開けて生ゴミを投入している際に、臭い成分が投入者側に立ち上ってくるような問題も生じない。
【００１８】
なお前記のように、加温手段で、例えば、４５℃以上に、生ゴミ処理槽中を加温しておくと、生ゴミ中に含まれているさまざまな雑菌、回虫卵、有鉤条虫卵、又は蠅の卵等を死滅又は不活化させることができる。それ故、それらの雑菌による生ゴミの腐敗や成虫化した回虫等による種々の弊害を予め除去することができる。
【００１９】
因に、例えば、サルモネラ菌は、６０℃の加温では１０数分で、４５℃の加温では約１日で、それぞれ死滅又は不活化し、有鉤条虫卵では６０℃の加温では数分で、４５℃の加温では１０時間程度の加温で死滅又は不活化することが知られている。その他の雑菌や虫卵又は微生物でもほぼ同程度の加温で同程度の結果となることが知られている。
しかしてここで有機物の分解に用いる微生物はこれらの温度で死滅又は不活化しないものを採用すべきは云うまでもない
【００２０】
本発明の１では、前記生ゴミ処理槽の上方に、前記本体ケースの内周側に沿って水分受け部を構成し、かつ該水分受け部に、これに流下した水分を本体ケース外に排出する排水管を接続した構成を採用したため、蓋体を開けた場合その他、本体ケースの内面を伝って流下する結露水又は蓋体との間から侵入することのある雨水等は前記水分受け部に受け止められることとなり、水分受け部からは排水管を通じて本体ケース外に排出されることとなる。したがってこれらの結露水等が、生ゴミ処理槽中に流下する虞がないので、これに起因して該生ゴミ処理槽中の水分が過剰となり、生ゴミを腐敗させる等の問題は生じない。
【００２１】
本発明の２は、本発明の１の消滅型生ゴミ処理機に於いて、前記生ゴミ処理槽の上部に開口する前記排気筒の開口部である排気口と前記吸気口とを、それぞれ横長に開口させ、かつ相互に対向した位置関係に配置したものであり、そのため、空気の流れがスムーズになり、生ゴミ処理槽の吸排気が良好に行なわれることとなる。
【００２２】
本発明の３は、本発明の１の消滅型生ゴミ処理機に於いて、前記吸気口にフィルタを配したものであり、そのため生ゴミ処理槽に吸引する空気に粉塵その他が含まれていた場合には、これを除去して清浄な空気を導入することができる。
【００２３】
本発明の４は、本発明の１の消滅型生ゴミ処理機に於いて、前記臭気吸着部を臭気吸着材の出し入れが自在であるように構成したものであり、そのため、臭気吸着材の吸着有効期間毎に、これを交換することで、排気中の異臭成分を良好に除去し続けることができる。
【００２５】
【発明の実施の形態】
以下、発明の実施の形態を実施例に基づいて添付図面を参照しつつ詳細に説明する。
図１〜図３は本発明に関連する参考例を示しており、図１は正面説明図、図２は右側面説明図、図３は平面説明図である。
また図４〜図６は本発明を適用した実施例を示しており、図４は正面説明図、図５は右側面説明図、図６は平面説明図である。
【００２６】
（参考例）
この参考例の消滅型生ゴミ処理機は、図１及び図２に示すように、本体ケース１と、これに内装した生ゴミ処理槽２と、該生ゴミ処理槽２に構成した攪拌手段３と、上端が上記生ゴミ処理槽２の上部の一側に開口し、他端が前記本体ケース１の底部下に開口する排気筒４と、その排気筒４にそれぞれ配したフィルタ４ａ、排気手段４ｂ及び臭気吸着部４ｃと、前記生ゴミ処理槽２の上側部に於いて該生ゴミ処理槽２と本体ケース１との隙間空間中に開口した吸気口５と、前記生ゴミ処理槽２の底部外面に配した加温手段６と、前記攪拌手段３、前記排気筒４の排気手段４ｂ及び加温手段６の動作を制御する制御部７とを基本的構成要素として構成したものである。
【００２７】
前記本体ケース１は、上部が開口した直方体状箱型の部材で、その上部開口には、図１〜図３に示すように、ヒンジ１ａを介して起伏開閉自在に蓋体１ｂを配してある。上記蓋体１ｂには、その裏面側に上記ヒンジ１ａを配した辺に沿って結露水等の吸着用のパッド１ｃが配してある。なお上記パッド１ｃはこの例では複数枚の吸湿性の布材を重ね合わせて構成したものである。また前記本体ケース１の下部には空気導入用のスリットが開口してある。
【００２８】
前記生ゴミ処理槽２は、特に図１に示すように、正面から見て下部が半円形であり、その上側端及び前後端面から側板が上方に伸びた構成である。上部は全部解放状態であり、前記本体ケース１の上部開口に向かって開いている。
【００２９】
前記攪拌手段３は、図１及び図２に示すように、前記生ゴミ処理槽２の前後の側板に配した軸受３ａ、３ａに回転自在に配した回転軸３ｂと、これに直交する向きに配した複数の羽根部材３ｃ、３ｃ…と、前記回転軸３ｂの端部に固設した大径のスプロケット３ｄと、本体ケース１の底部上に配した電動モータ３ｅと、該電動モータ３ｅの出力軸に固設した小径のスプロケット３ｆと、該小径のスプロケット３ｆと前記大径のスプロケット３ｄとの間に掛け渡したチェーン３ｇとで構成したものである。
【００３０】
前記排気筒４は、一端を前記生ゴミ処理槽２の上側部に横長方形の開口部に開口し、他端を前記排気手段４ｂを介して前記本体ケース１の底部下に開口するものである。前記フィルタ４ａは生ゴミ処理槽２の上側部に開口する開口部に配し、前記臭気吸着部４ｃは、上記フィルタ４ａに近接して、その排気側に配する。また前記排気手段４ｂは本体ケース１の底部上に配し、排気筒４の外端側に位置させる。前記フィルタ４ａは、この例では主として粉塵のような固形成分を除去する部材を採用し、前記臭気吸着部４ｃは、この例では、吸着室と、これに出し入れ自在に配した籠状箱体であって、活性炭や、ゼオライトをその成分に含むセラミックボール等を詰め替え自在に充填した籠状箱体とで構成し、更に前記排気手段４ｂは、この例では、ブロアとこれを駆動する電動モータとで構成したものである。
【００３１】
前記吸気口５は、前記排気筒４の生ゴミ処理槽２への開口部と対面して、該生ゴミ処理槽２の上側部に開口し、その外部側に、排気筒４に配したフィルタ４ａと同様のフィルタ５ａを配する。こうして生ゴミ処理槽２の上側部に開口させると、該生ゴミ処理槽２の配置関係から、これは必然的に、生ゴミ処理槽２と本体ケース１の間の隙間空間に開口することとなる。
【００３２】
前記加温手段６は、この例では、シート状のヒータを採用し、これを前記生ゴミ処理槽２の下面に接合状態に装着したものである。
【００３３】
前記制御部７は、前記のように、前記攪拌手段３、前記排気筒４の排気手段４ｂ及び加温手段６の動作を制御するものであるが、より詳しく述べると、次の通りである。
【００３４】
まず攪拌手段３については、この例では、前記電動モータ３ｅを、正転３分、停止３分、逆転３分、停止６分のサイクルを繰り返すように、制御し、これによって羽根部材３ｃ、３ｃ…を付設した前記回転軸３ｂに同様の回転及び停止のサイクルを繰り返させる（これ以外の回転又は停止のサイクルでも不都合ではない）。なお前記蓋体１ｂが開けられた際に、前記電動モータ３ｅが回転駆動していた場合には、直ちに停止して安全を確保するようにも制御する。
【００３５】
前記排気筒４の排気手段４ｂは、その電動モータを、原則として、前記攪拌手段３の電動モータ３ｅに連動して動作させ、攪拌手段３の攪拌動作に連動して排気動作させるように制御する。ただし、この排気手段４ｂの電動モータは、前記蓋体１ｂを開けた場合は、必ず動作させ、蓋体１ｂの開いている間は、常に排気動作を行なっているように制御し、生ゴミ処理槽２から異臭が立ち上らないようにする。
【００３６】
また前記加温手段６については、生ゴミ処理槽２内を５０℃に保持すべくこれを制御する。
【００３７】
したがってこの参考例の消滅型生ゴミ処理機によれば、その生ゴミ処理槽２に投入した生ゴミを、容易に腐敗等を発生させず、良好に水と二酸化炭素とに分解させ、更に分解生成したそれらの二酸化炭素や水蒸気及びその他の気体成分を、それらから良好に異臭成分を除去した上で排気することができ、周囲に異臭をまき散らすことがない。
【００３８】
前記生ゴミ処理槽２には予め多孔質の木質チップに微生物を混入させて構成した基材を投入しておく。その上で、前記制御部７の制御動作、即ち、前記攪拌手段３、前記排気筒４の排気手段４ｂ及び加温手段６に対する前記制御動作を開始させる。
【００３９】
しかして前記加温手段６の加温動作により、生ゴミ処理槽２内を５０℃前後にに昇温して保持し、かつ前記排気手段４ｂの動作により、生ゴミ処理槽２中の気体を前記排気筒４を通じて本体ケース１の底部下から排出させる。排気筒４を通過する気体はフィルタ４ａを通過する時点で粉塵等の固体成分が除去され、かつその中に含まれる異臭成分は前記臭気吸着部４ｃで吸着される。また排気手段４ｂの動作にともなって生ゴミ処理槽２内が陰圧となり、その中に、前記吸気口５を通じて、該生ゴミ処理槽２と本体ケース１との隙間空間中の空気が吸引導入される。なおこの隙間空間中の空気は前記加温手段６で加温されているため、微生物の活動に好ましい影響を与える。
【００４０】
生ゴミは、以上のように準備しかつ動作させた状態で、例えば、発生の都度、生ゴミ処理機に投入することができる。
前記蓋体１ｂを開けて生ゴミを投入し、再度該蓋体１ｂを閉じると、前記のように行なわれる前記攪拌手段３の攪拌動作により、前記基材と投入生ゴミとが攪拌混合され、かつそれらの間に空気が導入される。これらの基材と生ゴミとの混合物は、前記加温手段６で前記のように５０℃前後に昇温して保持され、基材に混合されていた微生物が活発に活動することにより、水と二酸化炭素とに分解され、水は水蒸気となって蒸発する。こうして投入された生ゴミは徐々に消滅することとなる。
【００４１】
蒸発した水分や二酸化炭素は、前記のように、排気手段４ｂの作用で、排気筒４を通じて本体ケース１の底部下から排出されることとなる。このとき、それらに含まれる粉塵等の固体成分は前記フィルタ４ａで除去され、同時に含まれる種々の臭い成分は前記臭気吸着部４ｃで吸着除去されることとなる。それ故、本体ケース１の底部下から排出される気体には臭いが殆ど含まれず、周囲に異臭をまき散らす問題が生じない。
【００４２】
また、前記したように、排気手段４ｂは、蓋体１ｂを開けている間は、必ず動作するように制御されているので、その間は、常に、その作用により生ゴミ処理槽２内の気体成分は排気筒４を通じて本体ケース１の下方に吸引されることとなる。それ故、前記のように、蓋体を開けて生ゴミを投入する際に、臭い成分が投入者側に立ち上ってくるような問題も生じない。
【００４３】
更に、前記したように、前記攪拌手段３は、蓋体１ｂを開けている間は必ず動作が停止するように制御されているので、生ゴミの投入者が何らかの事情で生ゴミ処理槽２内に深く手を入れてしまうようなことがあってもその羽根部材３ｃ、３ｃ…の動作により怪我をする等の危険性がない。
【００４４】
なお、前記のように、この実施例１では、加温手段６で生ゴミ処理槽２中を５０℃前後に加温してあるので、生ゴミ中に含まれているさまざまな雑菌、回虫卵、有鉤条虫卵、又は蠅の卵等を死滅又は不活化させることができる。それ故、それらの雑菌による生ゴミの腐敗や成虫化した回虫等による種々の弊害を予め除去することができる。
【００４５】
しかして、この参考例では、９０℃でも死滅又は不活化しないで活発に活動し得る微生物を採用した。したがってこの温度で微生物はスピーディに増殖し生ゴミ等の有機物の分解活動を行なう。
【００４６】
ところで、前記したように、前記臭気吸着部４ｃは、この例では、吸着室と、これに出し入れ自在に配した籠状箱体であって、活性炭や、ゼオライトをその成分に含むセラミックボール等を詰め替え自在に充填した籠状箱体とで構成したので、活性炭やセラミックボール等の臭気吸着材の吸着有効期間毎に、これを交換することで、排気中の異臭成分を良好に除去し続けることができるものである。
【００４７】
また前記蓋体１ｂには、その裏面側に前記ヒンジ１ａを配した辺に沿って結露水等の吸着用のパッド１ｃが配してあるので、該蓋体１ｂを開けた際に、その裏面にそれまでに付着していた結露水が該裏面をヒンジ１ａ側に流れ落ちても、前記吸着用のパッド１ｃまで流下してこれに吸収されることとなる。それ故、そのまま生ゴミ処理槽２中に流下する虞がない。したがってこれに起因して水分が過剰となって生ゴミを腐敗させる等という問題は生じない。
【００４８】
（実施例）
実施例は、以上の参考例の一部に必要な変更を加えて構成したものである。
即ち、図４〜図６に示すように、蓋体１ｂの裏面のパッド１ｃを取り除き、前記生ゴミ処理槽２の上端と本体ケース１の内面との間に生じている段差部を水分受け部８ａに構成し、かつ該水分受け部８ａに、上端がその上面に開口し、下端が本体ケース１の底部下に開口する排水管８ｂを配したものである。
なお上記水分受け部８ａは、これを構成する段差部の縁に突起８ｃを盛り上げて、この水分受け部８ａに流下した結露水や雨水等を生ゴミ処理槽２中に流れ落ちないようにするものである。
【００４９】
実施例は、これ以外の構成は全て参考例と同様である。しかして異なる部分についてのみ説明する。図中、参考例と同一構成の部分は同一の符号で示している。
【００５０】
しかしてこの実施例の消滅型生ゴミ処理機を、例えば、ベランダ上又は屋外に設置した場合には、雨天の際などには、蓋体１ｂと本体ケース１との隙間から雨水が侵入する虞があるが、このような場合にも、雨水は本体ケース１の内面を伝って前記水分受け部８ａに流下し、前記排水管８ｂを通じて本体ケース１の底部下に流れ出すこととなる。それ故、生ゴミ処理槽２中に雨水が流れ込む虞がなく、それによる生ゴミの腐敗の問題等も回避できるものである。
【００５１】
また、前記したように、生ゴミはその分解により、水と二酸化炭素を生成させるが、その水及び生ゴミ投入に随伴した水が前記加温手段６で加温されて水蒸気となり、それが上昇して前記蓋体１ｂの裏面に触れると、ここで結露し、該蓋体１ｂの裏面に多量の結露水が生成することとなる。そしてこの結露水は、生ゴミ投入の際に蓋体１ｂが開けられると、傾斜した裏面に沿って一気に流れ落ちることとなるが、それは更に本体ケース１の内面を伝って流下し、前記水分受け部８ａで受け止められることとなる。水分受け部８ａからは、前記したように、排水管８ｂを通じて本体ケース１の底部下から外部に排出されることとなる。
したがってこれらの結露水が、生ゴミ処理槽２中に流下する虞がないので、これに起因して該生ゴミ処理槽２中の水分が過剰となり、生ゴミを腐敗させる等の問題が生じる虞はなくなるものである。
【００５２】
【発明の効果】
したがって本発明の１の消滅型生ゴミ処理機によれば、その生ゴミ処理槽に投入した生ゴミに容易に腐敗等を発生させず、良好に水と二酸化炭素とに分解させ、更に分解生成したそれらの二酸化炭素や水蒸気及びその他の気体成分を、それらから良好に異臭成分を除去した上で排気し、周囲に異臭をまき散らすような問題を生じさせないものである。また本発明の１では、蓋体を開けた場合その他、本体ケースの内面を伝って流下する結露水又は蓋体との間から侵入することのある雨水等が、生ゴミ処理槽中に流下する虞がないので、該生ゴミ処理槽中の水分が過剰となって生ゴミを腐敗させる等の問題は生じない。
【００５３】
より詳しく述べると、前記加温手段を動作させ、これによって生ゴミ処理槽内を適温、例えば、４５〜６０℃に昇温して保持させることにより、雑菌や有害な虫卵等を死滅又は不活化させることができるので、それらによる腐敗その他の害を回避しつつ、高温に強い微生物を利用することにより、良好な生ゴミ分解を進めることができるものである。
【００５４】
また前記排気手段の排気動作によって、生ゴミ処理槽中の気体は前記排気筒を通じて排出されるようになっており、これを通じて生ゴミ処理槽内は陰圧となる。しかしてその中に前記吸気口を通じて、該生ゴミ処理槽と本体ケースとの隙間空間中の空気が吸引導入されるが、この隙間空間中の空気は前記加温手段で加温されて適温となっているため、低温の空気の導入によって微生物の活動に悪影響を与えるような問題は生じない。
【００５５】
蒸発した水分や二酸化炭素は、前記のように、排気手段の作用で、排気筒を通じて本体ケースの下部から排出されることとなる。このとき、それらに含まれる種々の臭い成分は前記臭気吸着部で吸着除去されることとなる。それ故、本体ケース下部から排出される気体には臭いが殆ど含まれず、周囲に臭いをまき散らす問題が生じない。
【００５６】
前記排気手段は、例えば、前記攪拌手段と連動して動作するように構成することができるが、その外、少なくとも、蓋体を開けている間は必ず動作するように構成しておけば、その作用により生ゴミ処理槽内の気体成分は下方に吸引されることになるので、前記のように、蓋体を開けて生ゴミを投入している際に、臭い成分が投入者側に立ち上ってくるような問題も生じない。
【００５７】
また本発明の１では、蓋体を開けた場合その他の場合に本体ケースの内面を伝って流下する結露水又は蓋体との間から侵入することのある雨水等は、前記生ゴミ処理槽の上方の本体ケースの内周側に沿って配した水分受け部に受け止められることとなり、水分受け部からは排水管を通じて本体ケース外に排出されることとなる。したがってこれらの結露水等が、生ゴミ処理槽中に流下する虞がないので、これに起因して該生ゴミ処理槽中の水分が過剰となり、生ゴミを腐敗させる等の問題は生じない。
【００５８】
本発明の２では、本発明の１の効果に加えて、前記生ゴミ処理槽の上部に開口する前記排気筒の開口部である排気口と前記吸気口とを、それぞれ横長に開口させ、かつ相互に対向した位置関係に配置した構成としたため、空気の流れがスムーズになり、生ゴミ処理槽の吸排気が良好に行なわれることとなる。これを通じて蓋体裏面等への結露を減少させることができる。
【００５９】
本発明の３では、本発明の１の効果に加えて、前記吸気口にフィルタを配した構成としたので、生ゴミ処理槽に吸引する空気に粉塵その他が含まれていた場合には、これを除去して清浄な空気を導入することができる。
【００６０】
本発明の４では、本発明の１の効果に加えて、前記臭気吸着部を臭気吸着材の出し入れが自在であるように構成したので、臭気吸着材の吸着有効期間毎に、これを交換することで、排気中の異臭成分を良好に除去し続けることができる。
【図面の簡単な説明】
【図１】  参考例の消滅型生ゴミ処理機の正面説明図。
【図２】  参考例の消滅型生ゴミ処理機の右側面説明図。
【図３】  参考例の消滅型生ゴミ処理機の平面説明図。
【図４】  実施例の消滅型生ゴミ処理機の正面説明図。
【図５】  実施例の消滅型生ゴミ処理機の右側面説明図。
【図６】  実施例の消滅型生ゴミ処理機の平面説明図。
【符号の説明】
１    本体ケース
１ａ  ヒンジ
１ｂ  蓋体
１ｃ  パッド
２    生ゴミ処理槽
３    攪拌手段
３ａ  軸受
３ｂ  回転軸
３ｃ  羽根部材
３ｄ、３ｆ  スプロケット
３ｅ  電動モータ
３ｇ  チェーン
４    排気筒
４ａ、５ａ  フィルタ
４ｂ  排気手段
４ｃ  臭気吸着部
５    吸気口
６    加温手段
７    制御部
８ａ  水分受け部
８ｂ  排水管
８ｃ  突起
【図１】
0003734920.tif 000002
【図２】
0003734920.tif 000003
【図３】
0003734920.tif 000004
【図４】
0003734920.tif 000005
【図５】
0003734920.tif 000006
【図６】
0003734920.tif 000007